(57)【特許請求の範囲】
【請求項１】
文字板と、
前記文字板の裏面側に配置された曜板と、
前記曜板を一日毎に所定角度回転させるムーブメントと、を備え、
前記文字板には、七曜に対応した７つの開口が、曜日順に形成され、
前記曜板の文字板側の面には、マークが形成され、
前記７つの開口は、前記文字板の１２時位置と６時位置とを結ぶ直線と平行で、かつ、前記１２時位置から前記６時位置に向かう方向に曜日順に所定の間隔で配列され、
前記７つの開口のうち、前記１２時位置側から４番目の開口は、前記文字板の９時位置と３時位置とを結ぶ直線上に配置され、
前記文字板を表面側から見たとき、前記曜板が前記所定角度回転する毎に、前記７つの開口のうちのいずれかに、曜日順に従って前記マークが順次出現する
ことを特徴とする時計。
【請求項２】
文字板と、
前記文字板の裏面側に配置された曜板と、
前記曜板を一日毎に所定角度回転させるムーブメントと、を備え、
前記文字板には、七曜に対応した７つの開口が、曜日順に形成され、
前記曜板の文字板側の面には、マークが形成され、
前記７つの開口は、前記文字板の９時位置と３時位置とを結ぶ直線と平行で、かつ、前記９時位置から前記３時位置に向かう方向に曜日順に所定の間隔で配列され、
前記７つの開口のうち、前記９時位置側から４番目の開口は、前記文字板の１２時位置と６時位置とを結ぶ直線上に配置され、
前記文字板を表面側から見たとき、前記曜板が前記所定角度回転する毎に、前記７つの開口のうちのいずれかに、曜日順に従って前記マークが順次出現する
ことを特徴とする時計。
【請求項３】
請求項１または請求項２に記載の時計において、
前記マークの色は、単色である
ことを特徴とする時計。
【請求項４】
請求項１から請求項３のいずれか一項に記載の時計において、
前記マークは、前記７つの開口のうち互いに異なる開口に出現する複数のマーク部を備え、
前記複数のマーク部の色は、出現する開口に対応付けられた曜日に応じて設定されている
ことを特徴とする時計。
【請求項５】
請求項１から請求項４のいずれか一項に記載の時計において、
前記文字板には、前記７つの開口のそれぞれに対応して、曜日を示す記号が表示されている
ことを特徴とする時計。
【発明の詳細な説明】
【技術分野】
【０００１】
本発明は、曜日を表示する時計に関する。
【背景技術】
【０００２】
従来、時刻に加えて、曜日を表示する時計が知られている（例えば、特許文献１参照）。
特許文献１の時計は、複数の窓部が形成された文字板と、文字板の下に配置され、窓部から表示可能な複数のパターンが設定された曜板とを備え、曜板は、一日毎に所定角度回転し、所定角度回転する毎に複数の窓部に表示されるパターンの組み合せが７種類となるように構成されている。この構成によれば、複数の窓部に表示されるパターンの組み合せにより曜日を表示できる。
【先行技術文献】
【特許文献】
【０００３】
【特許文献１】特開２０１２−８３１４８号公報
【発明の概要】
【発明が解決しようとする課題】
【０００４】
しかしながら、特許文献１の時計では、使用者は、複数の窓部に表示されるパターンの組み合せが何曜日を示すのかを予め理解していなければ曜日を把握できないため、曜日を把握しにくかった。
【０００５】
本発明の目的は、曜日を把握しやすい時計を提供することにある。
【課題を解決するための手段】
【０００６】
本発明の時計は、文字板と、前記文字板の裏面側に配置された曜板と、前記曜板を一日毎に所定角度回転させるムーブメントと、を備え、前記文字板には、七曜に対応した７つの開口が、曜日順に形成され、前記曜板の文字板側の面には、マークが形成され、前記文字板を表面側から見たとき、前記曜板が前記所定角度回転する毎に、前記７つの開口のうちのいずれかに、曜日順に従って前記マークが順次出現することを特徴とする。
【０００７】
ここで、マークは、所定の領域を備えた形成物や、記号を表示する形成物等である。
本発明では、文字板に、七曜に対応した７つの開口が曜日順に形成され、曜板が所定角度回転する毎に、７つの開口のうちのいずれかに、曜日順に従ってマークが順次出現する。
このため、７つの開口の並び順において何番目の開口にマークが出現しているかによって、使用者は直感的に曜日を把握できる。
例えば、日曜日に対応する開口から土曜日に対応する開口まで、７つの開口が曜日順に形成されている場合、例えば４番目の開口にマークが出現しているときは、水曜日を示していると使用者は直感的に把握できる。
【０００８】
本発明の時計において、前記７つの開口は、所定の間隔で配列されていることが好ましい。
本発明では、７つの開口は所定の間隔で配列されているため、ばらばらの間隔で配列されている場合と比べて、７つの開口の並び順において何番目の開口にマークが出現したかを、使用者が把握しやすくできる。
【０００９】
本発明の時計において、前記７つの開口は、前記文字板の１２時位置と６時位置とを結ぶ直線と平行で、かつ、前記１２時位置から前記６時位置に向かう方向に曜日順に配列されていることが好ましい。
時計を正面から見たとき、１２時位置が上となり、６時位置が下となるため、７つの開口は、上から下へ向かう方向に曜日順に配列される。曜日を縦方向に配列する場合、一般的には、曜日を上から下に曜日順に配列することが多いため、７つの開口が、上から下へ向かう方向に曜日順に配列されることで、使用者が曜日を把握しやすくできる。
【００１０】
本発明の時計において、前記７つの開口は、前記文字板の９時位置と３時位置とを結ぶ直線と平行で、かつ、前記９時位置から前記３時位置に向かう方向に曜日順に配列されていることが好ましい。
時計を正面から見たとき、９時位置が左となり、３時位置が右となるため、７つの開口は、一般的なカレンダーの曜日と同様に、左から右へ向かう方向に曜日順に配列される。このため、使用者が曜日を把握しやすくできる。
【００１１】
本発明の時計において、前記マークの色は、単色であることが好ましい。
これによれば、マークが複数色である場合と比べて、マークを容易に形成できる。
【００１２】
本発明の時計において、前記マークは、前記７つの開口のうち互いに異なる開口に出現する複数のマーク部を備え、前記複数のマーク部の色は、出現する開口に対応付けられた曜日に応じて設定されていることが好ましい。
本発明によれば、使用者は、開口から出現するマーク部の色によって、曜日（例えば、日、土、その他の曜日等）を把握することもできる。
【００１３】
本発明の時計において、前記文字板には、前記７つの開口のそれぞれに対応して、曜日を示す記号が表示されていることが好ましい。
本発明によれば、使用者は、マークが出現した開口が何曜日を示すのかを、文字板に表示された記号を視認することでも把握できるため、より容易に曜日を把握できる。
【図面の簡単な説明】
【００１４】
【図１】本発明の第１実施形態に係る時計の平面図である。
【図２】前記第１実施形態における文字板の平面図である。
【図３】前記第１実施形態におけるムーブメントの平面図である。
【図４】前記第１実施形態における曜車の平面図である。
【図５】前記第１実施形態における曜板の動きを示す図である。
【図６】本発明の第２実施形態に係る曜車の平面図である。
【図７】前記第２実施形態における曜板の動きを示す図である。
【図８】本発明の変形例に係る曜板の動きを示す図である。
【発明を実施するための形態】
【００１５】
以下に、本発明の実施形態を図面に基づいて説明する。
［第１実施形態］
［時計の構成］
図１は、時計１の平面図である。時計１は、時刻、日付、曜日を表示する機能を備えた腕時計である。
図１に示すように、時計１は、外装ケース１１と、外装ケース１１内に配置された、時針１２、分針１３、秒針１４、文字板２０、曜車３０、日車４０、ムーブメント５０（図３参照）を備える。
時針１２、分針１３、秒針１４は、文字板２０の表面側に配置され、文字板２０を指示することで、時刻を表示する。
曜車３０および日車４０は、文字板２０の裏面側に配置されている。
ムーブメント５０は、曜車３０および日車４０の裏面側に配置され、時針１２、分針１３、秒針１４、曜車３０、日車４０を回転駆動する。
【００１６】
［文字板の構成］
図２は、文字板２０の平面図である。図２に示すように、文字板２０は、円板状に形成されている。
文字板２０には、１２時位置と６時位置とを結ぶ中心線よりも３時位置側に、中心線に平行で、かつ、１２時位置から６時位置に向かう方向に、七曜（日、月、火、水、木、金、土）に対応した７つの開口２１Ａ〜２１Ｇが、日曜日から土曜日まで曜日順に形成されている。
開口２１Ａ〜２１Ｇは、円形状に形成され、所定の間隔で配列されている。すなわち、開口２１Ａ〜２１Ｇは、等間隔で配列されている。
【００１７】
また、文字板２０には、開口２１Ａ〜２１Ｇのそれぞれに対応して、曜日を示す記号が表示されている。本実施形態では、当該記号として、ＳＵＮ，ＭＯＮ，ＴＵＥ，ＷＥＤ，ＴＨＵ，ＦＲＩ，ＳＡＴの文字が表示されている。
その他、文字板２０には、３時位置に、日車４０に表示された日付を視認させる開口２２が形成されている。また、文字板２０の周囲には、時刻表示用の目盛２３が形成され、文字板２０の中央には、指針１２〜１４を支持する指針軸が挿通される挿通孔２４が形成されている。
【００１８】
［日車の構成］
図３は、日車４０が搭載された状態のムーブメント５０を文字板２０側からみた平面図である。図３に示すように、日車４０は、リング状に形成された日板４１と、日板４１の内周に一体に形成された内歯車４２とを備える。内歯車４２は、日板４１の内周に３１個の歯を備えて形成されている。日板４１の表面（文字板２０側の面）には、日情報、具体的には日を表す「１」から「３１」までの数字が印刷されている。
【００１９】
［曜車の構成］
図４は、曜車３０を示す平面図である。図４に示すように、曜車３０は、円板状に形成された曜板３１と、曜板３１の裏面に固定された曜星車３２とを備える。曜星車３２は、１４個の歯を備えて形成されている。曜板３１および曜星車３２の中央には、指針１２〜１４を支持する指針軸が挿通される挿通孔３１１が形成されている。
【００２０】
［マーク］
図４に示すように、曜板３１の表面（文字板２０側の面）には、マーク３３が印刷によって形成されている。マーク３３は、所定の領域を備えた単一の形成物である。マーク３３の色は、単色であり、また、曜板３１のマーク３３が形成されていない表面の色とは異なる。
ここで、マーク３３の形状および配置は、ムーブメント５０によって曜板３１が後述するように所定角度（３６０度／７）回転する毎に、文字板２０の開口２１Ａ〜２１Ｇのいずれかに、曜日順に従ってマーク３３が順次出現するように設定されている。
本実施形態では、マーク３３は、曜板３１が所定角度ずつ回転した際に開口２１Ａ〜２１Ｇに出現する部分と、これらの部分を繋ぐ部分とを備え、帯状に形成されている。また、マーク３３は、曜板３１の外周における所定位置の端部から、当該所定位置の端部と曜板３１の中心に対して反対側に位置する曜板３１の外周における他の端部まで連続して形成されている。また、マーク３３は、前記所定位置の端部と前記他の端部とを結ぶ直線と直交する直線に対して、線対称に形成されている。
【００２１】
［ムーブメントの構成］
図３に示すように、ムーブメント５０は、アナログクォーツ用の一般的なムーブメントと同様に、地板５１と、地板５１の裏面側に配置される電池およびステッピングモーター、基準信号源である水晶振動子や制御回路であるＩＣ（Integrated Circuit）が組み込まれた回路基板、ステッピングモーターの駆動力を指針に伝達する輪列を備える。輪列は、時針１２が取り付けられて１２時間で一回転する筒車５２を備えている。
さらに、ムーブメント５０は、曜車３０および日車４０を駆動する駆動機構と、日車押さえ５５とを備えている。
【００２２】
曜車３０および日車４０を駆動する駆動機構は、筒車５２に連動して２４時間で１回転する日回し車５３を備えている。日回し車５３は、日送り爪５３１を備え、この日送り爪５３１で日車４０の内歯車４２を１日に１歯分送って日車４０を１日分ずつ回転させる。
さらに、日回し車５３は、曜送り爪５３２も備え、この曜送り爪５３２で曜星車３２を送って曜車３０を回転させる。すなわち、日回し車５３は曜回し車を兼ねている。
日回し車５３には、２つの曜送り爪５３２が形成されている。このため、曜送り爪５３２は、日回し車５３が１回転する毎に、曜星車３２を２歯分回転する。すなわち、曜車３０は、一日毎に、３６０度／７ずつ回転し、一週間で一回転する。
【００２３】
曜星車３２の歯は、日車押さえ５５に形成された曜ジャンパー５６の先端部５６１で付勢されている。曜ジャンパー５６は、自身のばね力で先端部５６１が曜星車３２の歯に向かう方向に常時付勢されている。先端部５６１は、その先端で交差する２つの傾斜面５６２、５６３を備える。このため、曜車３０が日回し車５３で時計回りに回転するときは、曜星車３２の歯が傾斜面５６２に当接し、曜ジャンパー５６をその付勢力に抗して押し下げる。また、曜星車３２の歯が先端部５６１を乗り越えると、歯は傾斜面５６３に当接して回転する。２つの歯が各傾斜面５６２、５６３に当接し、先端部５６１が各歯間に位置すると、曜車３０は停止する。曜車３０の回転が停止した際は、曜ジャンパー５６がその付勢力で曜星車３２の歯に係合する状態を維持するため、曜車３０の移動が規制される。
従って、曜車３０は、日回し車（曜回し車）５３および曜ジャンパー５６によって間欠的に駆動されて移動が規制される。
【００２４】
なお、時計には、例えば、日本語と英語等、二か国語によって曜日を表示可能なものがある。このような時計では、曜板に曜日を示す二か国語の文字が外周に沿って交互に表示され、文字板に曜板に表示された曜日を視認させる１つの開口が形成されている。そして、曜星車が１４個の歯を備え、一日毎に曜送り爪によって２歯ずつ送られる。これによれば、曜送り爪と曜星車の歯との噛み合わせを１歯分ずらすことで、１つの言語による曜日が開口から視認される表示形態と、もう１つの言語による曜日が開口から視認される表示形態とを切り替えることができる。
本実施形態では、このような時計の曜車を駆動することも考慮して、曜星車３２に１４個の歯が形成され、日回し車５３に２つの曜送り爪５３２が形成されているが、例えば、曜星車３２に７個の歯を形成し、日回し車５３に１つの曜送り爪を形成し、日回し車５３が１回転する毎に曜送り爪が曜星車３２を１歯分回転させる構成としてもよい。
【００２５】
［曜板の動き］
図５は、曜板３１の動きを示す図である。図５に示すように、時計１が日曜日を示す場合、文字板２０における日曜日に対応付けられた開口２１Ａに、曜板３１に形成されたマーク３３が出現している。なお、その他の開口２１Ｂ〜２１Ｇには、マーク３３は出現していない。
この状態から、午前０時を迎えると、曜板３１が時計回り（右回り）に３６０度／７回転し、これにより、開口２１Ａからマーク３３が消え、月曜日に対応付けられた開口２１Ｂに、マーク３３が出現する。その他の開口２１Ｃ〜２１Ｇには、マーク３３は出現していない。
さらに、次の午前０時を迎えると、曜板３１が時計回りに３６０度／７回転し、これにより、開口２１Ｂからマーク３３が消え、火曜日に対応付けられた開口２１Ｃに、マーク３３が出現する。その他の開口２１Ａ，２１Ｄ〜２１Ｇには、マーク３３は出現していない。
このように、午前０時を迎える毎に、曜板３１が時計回りに３６０度／７回転し、これにより、マーク３３が出現していた開口からマーク３３が消え、次の曜日に対応した開口にマーク３３が出現する。
これにより、使用者は、開口２１Ａ〜２１Ｇのどの開口にマーク３３が出現しているかを視認することで、曜日を把握できる。
【００２６】
［第１実施形態の作用効果］
文字板２０に七曜に対応した７つの開口２１Ａ〜２１Ｇが曜日順に形成され、曜板３１が所定角度回転する毎に、開口２１Ａ〜２１Ｇのうちのいずれかに、曜日順に従ってマーク３３が順次出現する。このため、開口２１Ａ〜２１Ｇの並び順において何番目の開口にマーク３３が出現しているかによって、使用者は直感的に曜日を把握できる。
【００２７】
開口２１Ａ〜２１Ｇは、所定の間隔で配列されているため、ばらばらの間隔で配列されている場合と比べて、開口２１Ａ〜２１Ｇの並び順において何番目の開口にマーク３３が出現したかを、使用者が把握しやすくできる。また、マーク３３の形状や配置の設計を容易にできる。
【００２８】
開口２１Ａ〜２１Ｇは、時計１を正面から見たとき、上から下へ向かう方向に曜日順に配列されており、一般的な曜日の縦方向の並び順で配列されているため、使用者が曜日を把握しやすくできる。
【００２９】
マーク３３の色が単色であるため、複数色である場合と比べて、マーク３３を容易に形成できる。
文字板２０には、開口２１Ａ〜２１Ｇのそれぞれに対応して、曜日を示す記号が表示されているため、使用者は、マーク３３が出現した開口が何曜日を示すのかを、文字板２０に表示された記号を視認することでも把握でき、より容易に曜日を把握できる。
【００３０】
マーク３３は、曜板３１が所定角度ずつ回転した際に開口２１Ａ〜２１Ｇに出現する部分だけではなく、これらの部分を繋ぐ部分も備え、帯状に形成されている。これによれば、マーク３３の全体形状を、曜板の種類に応じて変えることができる。これにより、時計の組み立て時、複数種類の曜板が扱われている場合に、曜板を判別しやすくできる。
【００３１】
［第２実施形態］
第２実施形態の時計は、文字板に形成された七曜に対応する開口の位置と、曜板に形成されたマークが、第１実施形態の時計１とは異なる。その他の構成は、時計１と同様である。なお、時計１と同じ構成については、同じ符号を付与し、説明は省略する。
第２実施形態の時計では、文字板には、９時位置と３時位置とを結ぶ中心線よりも６時位置側に、中心線に平行で、かつ、９時位置から３時位置に向かう方向に、七曜に対応した７つの開口２１Ｈ〜２１Ｎが、日曜日から土曜日まで曜日順に形成されている（図６参照）。また、開口２１Ｈ〜２１Ｎは、所定の間隔で配列されている。
また、文字板には、図示は省略するが、第１実施形態の文字板２０と同様に、開口２１Ｈ〜２１Ｎのそれぞれに対応して、曜日を示す記号が表示されている。
【００３２】
図６は、第２実施形態の曜車３０Ａを示す平面図である。曜板３１Ａの表面には、互いに離間した６つのマーク部３３Ａ〜３３Ｆが印刷によって形成されている。各マーク部３３Ａ〜３３Ｆは、所定の領域を備えた単一の形成物である。ここで、マーク部３３Ａ〜３３Ｆは、本発明のマークを構成する。
マーク部３３Ａ〜３３Ｆの形状および配置は、曜板３１Ａが所定角度（３６０度／７）回転する毎に、文字板の開口２１Ｈ〜２１Ｎのいずれかに、曜日順に従ってマーク部３３Ａ〜３３Ｆのいずれかのマーク部が順次出現するように設定されている。
【００３３】
マーク部３３Ａは、日曜日に対応した開口２１Ｈに出現し、マーク部３３Ｂは、月曜日に対応した開口２１Ｉおよび金曜日に対応した開口２１Ｍに出現し、マーク部３３Ｃは、火曜日に対応した開口２１Ｊに出現し、マーク部３３Ｄは、水曜日に対応した開口２１Ｋに出現し、マーク部３３Ｅは、木曜日に対応した開口２１Ｌに出現し、マーク部３３Ｆは、土曜日に対応した開口２１Ｎに出現する。
また、マーク部３３Ａ〜３３Ｆの色は、曜板３１のマーク部３３Ａ〜３３Ｆが形成されていない表面の色とは異なる。また、マーク部３３Ａ〜３３Ｆの色は、出現する開口に対応付けられた曜日に応じて設定されている。本実施形態では、日曜日に対応した開口２１Ｈに出現するマーク部３３Ａは赤色であり、月曜日から金曜日に対応した開口２１Ｉ〜２１Ｍに出現するマーク部３３Ｂ〜３３Ｅは黒色であり、土曜日に対応した開口２１Ｎに出現するマーク部３３Ｆは青色である。
【００３４】
図７は、曜板３１Ａの動作を示す図である。図７に示すように、時計が日曜日を示す場合、日曜日に対応付けられた開口２１Ｈに、曜板３１Ａに形成されたマーク部３３Ａが出現している。なお、その他の開口２１Ｉ〜２１Ｎには、マーク部３３Ａ〜３３Ｆは出現していない。
この状態から、午前０時を迎えると、曜板３１Ａが時計回り（右回り）に３６０度／７回転し、これにより、開口２１Ｈからマーク部３３Ａが消え、月曜日に対応付けられた開口２１Ｉに、マーク部３３Ｂが出現する。その他の開口２１Ｊ〜２１Ｎには、マーク部３３Ａ〜３３Ｆは出現していない。
さらに、次の午前０時を迎えると、曜板３１Ａが時計回りに３６０度／７回転し、これにより、開口２１Ｉからマーク部３３Ｂが消え、火曜日に対応付けられた開口２１Ｊに、マーク部３３Ｃが出現する。その他の開口２１Ｈ，２１Ｋ〜２１Ｎには、マーク部３３Ａ〜３３Ｆは出現していない。
このように、午前０時を迎える毎に、曜板３１Ａが時計回りに３６０度／７回転し、これにより、マーク部３３Ａ〜３３Ｆのいずれかのマーク部が出現していた開口からマーク部が消え、次の曜日に対応した開口にマーク部３３Ａ〜３３Ｆのいずれかのマーク部が出現する。
これにより、使用者は、開口２１Ｈ〜２１Ｎのどの開口にマーク部３３Ａ〜３３Ｆが出現しているかを視認することで、曜日を把握できる。
【００３５】
なお、本実施形態では、第１実施形態と同様に、曜車３０Ａの曜星車は、１４個の歯を備えている。このため、曜送り爪に対して、予め設定された基準位置から１歯分ずれて曜星車が噛み合わされた場合、曜板３１Ａは、図７に示される各曜日の回転位置から、３６０度／１４ずれた回転位置で停止するため、曜日が正しく表示されないことがある。このような場合は、曜送り爪と曜星車の歯との噛み合わせが正しくないことを知らせるため、曜板３１Ａを回転させた際に、２箇所の開口にマーク部が出現するように、マーク部３３Ａ〜３３Ｆの形状および配置が工夫されている。
本実施形態では、曜送り爪と曜星車との噛み合わせが正しくない場合、例えば、曜板３１Ａの回転位置が、図７に示される日曜日の回転位置と月曜日の回転位置との中間である場合、マーク部３３Ｂが開口２１Ｉに出現し、同時に、マーク部３３Ｃが２１Ｌに出現する。
【００３６】
［第２実施形態の作用効果］
第２実施形態の時計においても、第１実施形態の時計１と同様の構成により、同様の作用効果を得ることができる。また、次の効果を得ることができる。
開口２１Ｈ〜２１Ｎは、時計を正面から見たとき、一般的なカレンダーの曜日と同様に、左から右へ向かう方向に曜日順に配列されるため、使用者が曜日を把握しやすくできる。
また、マーク部３３Ａ〜３３Ｆの色は、開口２１Ｈ〜２１Ｎのうち出現する開口に対応付けられた曜日（日、土、その他の曜日）に応じて設定されているため、使用者は、開口２１Ｈ〜２１Ｎから出現するマーク部の色によって、曜日（日、土、その他の曜日）を把握することもできる。
【００３７】
［他の実施形態］
なお、本発明は前記実施形態に限定されず、本発明の要旨の範囲内で種々の変形実施が可能である。
前記各実施形態では、文字板に形成された七曜に対応する開口は、所定の間隔で配列されているが、本発明はこれに限らない。すなわち、これらの開口は、ばらばらの間隔で配列されていてもよい。
【００３８】
前記第１実施形態では、開口２１Ａ〜２１Ｇは、文字板２０の１２時位置と６時位置とを結ぶ直線と平行で、かつ、１２時位置から６時位置に向かう方向に曜日順に配列されているが、本発明はこれに限らない。例えば、６時位置から１２時位置に向かう方向に曜日順に配列されていてもよい。また、９時位置と３時位置とを結ぶ直線と平行に配列されていてもよいし、１２時位置と６時位置とを結ぶ直線に対して斜めに配列されていてもよい。なお、このような配列は、曜板３１の構成を変更することなく実現できる。
【００３９】
前記第２実施形態では、開口２１Ｈ〜２１Ｎは、文字板の９時位置と３時位置とを結ぶ直線と平行で、かつ、９時位置から３時位置に向かう方向に曜日順に配列されているが、本発明はこれに限らない。例えば、３時位置から９時位置に向かう方向に曜日順に配列されていてもよい。また、１２時位置と６時位置とを結ぶ直線と平行に配列されていてもよいし、９時位置と３時位置とを結ぶ直線に対して斜めに配列されていてもよい。なお、このような配列は、曜板３１Ａの構成を変更することなく実現できる。
【００４０】
前記各実施形態では、文字板に形成された七曜に対応する開口は、直線に沿って配列されているが、本発明はこれに限らない。すなわち、直線に沿って配列されていなくてもよい。例えば、これらの開口は、湾曲線に沿って配列されていてもよい。この場合、これらの開口は、文字板の外周に沿った湾曲線に沿って配列されていてもよいし、当該湾曲線とは曲率の異なる湾曲線に沿って配列されていてもよい。また、じぐざぐに配列されていてもよい。
【００４１】
前記第１実施形態では、マーク３３の色は単色であるが、本発明はこれに限らない。例えば、曜板３１が所定角度ずつ回転した際に開口２１Ａ〜２１Ｇに出現する部分の色が、出現する開口に対応付けられた曜日に応じて設定されていてもよい。
【００４２】
前記第２実施形態では、マーク部３３Ａ〜３３Ｆの色は、出現する開口に対応付けられた曜日に応じて設定されているが、本発明はこれに限らない。例えば、マーク部３３Ａ〜３３Ｆは、すべて同じ色であってもよい。
【００４３】
前記各実施形態では、文字板には曜日を示す記号が表示されているが、本発明はこれに限らない。例えば、女性用の時計等、時計が小型の場合には、文字板のスペースが少ないため、文字板に前記記号を表示しなくてもよい。
【００４４】
前記各実施形態では、文字板に形成された七曜に対応する開口は、日曜日から土曜日まで曜日順に配列されているが、本発明はこれに限らない。例えば、月曜日から日曜日まで曜日順に配列されていてもよいし、土曜日から金曜日まで曜日順に配列されていてもよい。
【００４５】
前記各実施形態では、文字板に形成された七曜に対応する開口は、円形状に形成されているが、本発明はこれに限定されない。例えば、これらの開口は、矩形状に形成されていてもよい。また、互いに異なる形状で形成されていてもよい。
【００４６】
前記第２実施形態では、マーク部３３Ａ〜３３Ｆは、所定の領域を備えた形成物であるが、本発明はこれに限定されない。例えば、マーク部３３Ａ〜３３Ｆは、記号を表示する形成物であってもよい。
なお、この場合、曜車３０に、マーク部として、日本語と英語等、二か国語に対応した各曜日を示す文字をそれぞれ形成し、曜送り爪と曜星車の歯との噛み合わせを１歯分ずらすことで、１つの言語による文字が開口２１Ｈ〜２１Ｎから視認される表示形態と、もう１つの言語による文字が開口２１Ｈ〜２１Ｎから視認される表示形態とが切り替えられるような構成としてもよい。
【００４７】
前記各実施形態では、文字板に形成された七曜に対応する開口に出現したマークは、曜板が所定角度回転すると、出現していた開口から消えるが、本発明はこれに限定されない。
例えば、前記第１実施形態において、図８に示すように、開口２１Ａには、常にマーク３３が出現し、開口２１Ｂ〜２１Ｇには、出現したマークが、日曜日になるまで消えないような構成としてもよい。すなわち、日曜日から土曜日にかけて、マーク３３が出現する開口２１Ｂ〜２１Ｇの数が、１つずつ増えていく構成としてもよい。第２実施形態においても同様である。
【符号の説明】
【００４８】
１…時計、２０…文字板、２１Ａ〜２１Ｇ…開口、３０，３０Ａ…曜車、３１，３１Ａ…曜板、３２…曜星車、３３…マーク、３３Ａ〜３３Ｆ…マーク部、５０…ムーブメント。
【図１】
0006354548.tif 000002
【図２】
0006354548.tif 000003
【図３】
0006354548.tif 000004
【図４】
0006354548.tif 000005
【図５】
0006354548.tif 000006
【図６】
0006354548.tif 000007
【図７】
0006354548.tif 000008
【図８】
0006354548.tif 000009